(57)【要約】【課題】  配下のＩＰ機器の正常性を効率的に診断する機能を有するＩＰ機器診断機能を有するＩＰ中継装置を提供する【解決手段】  各ＩＰ機器３が送信する単位時間当たりのデータ量を測定する送信データ量測定手段と、前記ＩＰ機器の各々が自ＩＰ中継装置を介して送信する単位時間当たりの平均的なデータ量を記憶しておく平均送信データ量記憶手段と、各ＩＰ機器の正常性を定期的または非定期に診断するＩＰ機器診断手段と、を有し、前記送信データ量測定手段が測定した値と前記送信データ量記憶手段に登録されている値を比較し、予め定められている判定条件に応じて、ＩＰ機器３の異常の可能性を判定する。【選択図】    図１
2014138369.tif 000002
【特許請求の範囲】
【請求項１】
１以上のＩＰ機器を収容し、上位のＩＰ網または上位のＩＰ機器と配下のＩＰ機器との間でＩＰパケットを中継するＩＰ中継装置において、
前記ＩＰ機器の各々が自ＩＰ中継装置を介して送信する単位時間当たりのデータ量を測定する送信データ量測定手段と、前記ＩＰ機器の各々が自ＩＰ中継装置を介して送信する平均的な単位時間当たりのデータ量の値を記憶しておく平均送信データ量記憶手段と、前記ＩＰ機器の各々の正常性を定期的または非定期に診断するＩＰ機器診断手段と、を有し、
前記平均送信データ量記憶手段は、前記送信データ量測定手段が定期的または非定期に測定した値の平均値を前記ＩＰ機器に対応して記憶し、
前記ＩＰ機器診断手段は、定期的または非定期に前記送信データ量測定手段を起動し、前記送信データ量測定手段が測定した値と前記平均送信データ量記憶手段に記憶されている当該ＩＰ機器に対応する値を比較し、予め定められた判定条件に従って、当該ＩＰ機器の異常の可能性を判定することを特徴とするＩＰ機器診断機能を有するＩＰ中継装置。
【請求項２】
請求項１に記載のＩＰ中継装置において、
前記ＩＰ機器の診断に係る所定の正常性確認信号を前記ＩＰ機器へ送信する正常性確認信号送信手段をさらに有し、
前記ＩＰ機器診断手段は、定期的または前記ＩＰ機器に異常の可能性があると判定した場合に、前記診断信号送信手段を起動し、前記診断信号送信手段が送信した正常性確認信号に対して、当該ＩＰ機器から正常性を示す所定の応答信号を受信しないならば、当該ＩＰ機器は異常であると判定することを特徴とするＩＰ機器診断機能を有するＩＰ中継装置。
【請求項３】
１以上のＩＰ機器を収容し、上位のＩＰ網または上位のＩＰ機器と配下のＩＰ機器との間でＩＰパケットを中継する機能と、前記ＩＰ機器へ電力を供給する給電機能を備えるＩＰ中継装置において、
前記ＩＰ機器の各々へ供給する電力の単位時間当たりの電力量を測定する供給電力量測定手段と、前記ＩＰ機器の各々へ供給する平均的な単位時間当たりの電力量に係る情報を記憶しておく平均電力量記憶手段と、前記ＩＰ機器の各々の正常性を定期的または非定期に診断するＩＰ機器診断手段と、を有し、
前記平均電力量記憶手段は、前記供給電力量測定手段を定期的または非定期に測定した値の平均値を前記ＩＰ機器に対応して記憶し、
前記ＩＰ機器診断手段は、定期的または非定期に前記供給電力量測定手段を起動し、前記供給電力量測定手段が測定した値と前記供給電力量記憶手段に記憶されている当該ＩＰ機器に対応する値を比較し、予め定められた判定条件に従って、当該ＩＰ機器の異常の可能性を判定することを特徴とするＩＰ機器診断機能を有するＩＰ中継装置。
【請求項４】
請求項１から３のいずれかに記載のＩＰ中継装置において、
前記ＩＰ機器診断手段が前記ＩＰ機器のいずれかに異常の可能性があると判定した場合に、当該ＩＰ機器への電力の供給を停止し、または当該ＩＰ機器へ電力を供給している電源機器へ当該ＩＰ機器への電力の供給を停止させるコマンドを送信し、前記電力の供給を停止した後または停止させるコマンドを送信した後、当該ＩＰ機器への電力の供給を再開するまたは電力の供給を再開させるコマンドを送信することを特徴とするＩＰ機器診断機能を有するＩＰ中継装置。
【請求項５】
請求項４に記載のＩＰ中継装置において、
前記給電制御手段が当該ＩＰ機器への電力の供給を停止し、または当該ＩＰ機器へ電力を供給している電源機器へ当該ＩＰ機器への電力の供給を停止させるコマンドを送信した後、当該ＩＰ機器への電力の供給を再開した、または電力の供給を再開させるコマンドを送信したにも関わらず、前記ＩＰ機器診断手段が当該ＩＰ機器に異常の可能性があると再度判定した場合に、自ＩＰ中継装置が備える表示手段にアラーム情報を表示する、または予め定められた宛先へアラーム情報を送信することを特徴とするＩＰ機器診断機能を有するＩＰ中継装置。
【発明の詳細な説明】
【技術分野】
【０００１】
本発明は、ＩＰ（Ｉｎｔｅｒｎｅｔ  Ｐｒｏｔｏｃｏｌ）機器を収容し、ＩＰ網側と配下のＩＰ機器との間でＩＰパケットを中継するＩＰ中継装置において、特に、配下のＩＰ機器の正常性を診断する機能を有するＩＰ中継装置に関する。
【背景技術】
【０００２】
近年、ＩＰ網の普及および高速・広帯域化に伴い、ＩＰ網に繋がる各種のＩＰ機器が爆発的に増大している。これに伴い、ＩＰ機器はオフィスにおける業務や家庭での日常生活に欠かせない物になっており、大量に設置されているＩＰ中継機器やＩＰ端末機器等の各ＩＰ機器を効率的に維持管理する必要がある。そのため、ＩＰ中継装置の異常を検出する技術が知られている（例えば、特許文献１）。
【０００３】
しかしながら、特許文献１に記載された技術は、ＩＰ中継装置（特許文献１では通信中継装置）内のデータ信号の処理経路であるデータ疎通チャネルの正常性を診断するものであり、配下のＩＰ機器の正常性を診断することは考慮されていない。
【先行技術文献】
【特許文献】
【０００４】
【特許文献１】特開２０１０−１１４８７６号公報
【発明の概要】
【発明が解決しようとする課題】
【０００５】
そこで、本発明の課題は、配下のＩＰ機器の正常性を効率的に診断する機能を有するＩＰ中継装置を提供することにある。
【課題を解決するための手段】
【０００６】
上記課題を解決するために、第１の発明は、１以上のＩＰ機器を収容し、上位のＩＰ網または上位のＩＰ機器と配下のＩＰ機器との間でＩＰパケットを中継するＩＰ中継装置において、前記ＩＰ機器の各々が自ＩＰ中継装置を介して送信する単位時間当たりのデータ量を測定する送信データ量測定手段と、前記ＩＰ機器の各々が自ＩＰ中継装置を介して送信する平均的な単位時間当たりのデータ量の値を記憶しておく平均送信データ量記憶手段と、前記ＩＰ機器の各々の正常性を定期的または非定期に診断するＩＰ機器診断手段と、を有し、前記平均送信データ量記憶手段は、前記送信データ量測定手段が定期的または非定期に測定した値の平均値を前記ＩＰ機器に対応して記憶し、前記ＩＰ機器診断手段は、定期的または非定期に前記送信データ量測定手段を起動し、前記送信データ量測定手段が測定した値と前記平均送信データ量記憶手段に記憶されている当該ＩＰ機器に対応する値を比較し、予め定められた判定条件に従って、当該ＩＰ機器の異常の可能性を判定することを特徴とする。
【０００７】
また、第２の発明は、上記ＩＰ中継装置において、前記ＩＰ機器の診断に係る所定の正常性確認信号を前記ＩＰ機器へ送信する正常性確認信号送信手段をさらに有し、前記ＩＰ機器診断手段は、定期的または前記ＩＰ機器に異常の可能性があると判定した場合に、前記診断信号送信手段を起動し、前記診断信号送信手段が送信した正常性確認信号に対して、当該ＩＰ機器から正常性を示す所定の応答信号を受信しないならば、当該ＩＰ機器は異常であると判定することを特徴とする。
【０００８】
さらに、第３の発明は、１以上のＩＰ機器を収容し、上位のＩＰ網または上位のＩＰ機器と配下のＩＰ機器との間でＩＰパケットを中継する機能と、前記ＩＰ機器へ電力を供給する給電機能を備えるＩＰ中継装置において、前記ＩＰ機器の各々へ供給する電力の単位時間当たりの電力量を測定する供給電力量測定手段と、前記ＩＰ機器の各々へ供給する平均的な単位時間当たりの電力量に係る情報を記憶しておく平均電力量記憶手段と、前記ＩＰ機器の各々の正常性を定期的または非定期に診断するＩＰ機器診断手段と、を有し、前記平均電力量記憶手段は、前記供給電力量測定手段を定期的または非定期に測定した値の平均値を前記ＩＰ機器に対応して記憶し、前記ＩＰ機器診断手段は、定期的または非定期に前記供給電力量測定手段を起動し、前記供給電力量測定手段が測定した値と前記供給電力量記憶手段に記憶されている当該ＩＰ機器に対応する値を比較し、予め定められた判定条件に従って、当該ＩＰ機器の異常の可能性を判定することを特徴とする。
【０００９】
さらに、第４の発明は、上記ＩＰ中継装置において、前記ＩＰ機器診断手段が前記ＩＰ機器のいずれかに異常の可能性があると判定した場合に、当該ＩＰ機器への電力の供給を停止し、または当該ＩＰ機器へ電力を供給している電源機器へ当該ＩＰ機器への電力の供給を停止させるコマンドを送信し、前記電力の供給を停止した後または停止させるコマンドを送信した後、当該ＩＰ機器への電力の供給を再開するまたは電力の供給を再開させるコマンドを送信することを特徴とする。
【００１０】
さらに、第５の発明は、上記ＩＰ中継装置において、前記給電制御手段が当該ＩＰ機器への電力の供給を停止し、または当該ＩＰ機器へ電力を供給している電源機器へ当該ＩＰ機器への電力の供給を停止させるコマンドを送信した後、当該ＩＰ機器への電力の供給を再開した、または電力の供給を再開させるコマンドを送信したにも関わらず、前記ＩＰ機器診断手段が当該ＩＰ機器に異常の可能性があると再度判定した場合に、自ＩＰ中継装置が備える表示手段にアラーム情報を表示する、または予め定められた宛先へアラーム情報を送信することを特徴とする。
【発明の効果】
【００１１】
本発明によれば、配下のＩＰ機器の正常性を効率的に診断する機能を有するＩＰ中継装置を提供することが出来る。
【図面の簡単な説明】
【００１２】
【図１】本発明装置の内部ブロック構成図
【図２】参照データ記憶部１６の記憶内容の例
【図３】本発明装置の動作フローチャート図
【発明を実施するための形態】
【００１３】
以下、給電機能を有するＰｏＥ（Ｐｏｗｅｒ  ｏｖｅｒ  Ｅｔｈｅｒｎｅｔ（登録商標））ハブを例に、本発明の実施形態について、図面を用いて説明する。なお、本発明は、ハブに限定ではなく、ルータやゲートウェイ等のＩＰパケットを中継する種々のＩＰ中継装置に適用可能である。
【００１４】
図１は、本発明によるＰｏＥハブ装置（以下、本装置と略す）の内部ブロック構成図である。まず、本装置１の動作概略について説明する。
【００１５】
本装置１は、ＩＰ網２または上位のＩＰ機器と配下のＩＰ機器３との間でＩＰパケットを中継するＰｏＥハブである。上位のＩＰ機器とは、ＵＰ−ＬＩＮＫ側ポート１１と接続される、ルータ，ゲートウェイ，ＯＮＵ（Ｏｐｔｉｃａｌ  Ｎｅｔｗｏｒｋ  Ｕｎｉｔ）等、またはカスケード接続された上位の本装置である（図示せず）。また、配下のＩＰ機器３とは、ＤＯＷＮ−ＬＩＮＫ側ポート１３と接続される、各種のＩＰ機器３であって、例えば、ＩＰ電話機，無線アクセスポイント、Ｐｅｒｓｏｎａｌ  Ｃｏｍｐｕｔｅｒ，Ｗｅｂカメラ等、またはカスケード接続された下位の本装置である。また、本装置１は配下のＩＰ機器３へ電力をＰｏＥ給電する。
【００１６】
例えば、ＩＰ機器３−１がカスケード接続された他の本装置で、ＩＰ機器３−２〜ＩＰ機器３−ＮがＩＰ電話機や無線アクセスポイントであった場合、電源コンセントの位置に束縛されないＩＰ電話システムを柔軟に構築することが出来る。
【００１７】
次に、本装置１の内部ブロック構成について詳細に説明する。本装置１は、ＩＰ機器診断部１０、ＵＰ−ＬＩＮＫ側ポート１１、ＩＰパケット中継制御部１２、ＤＯＷＮ−ＬＩＮＫ側ＰｏＥポート１３（以下、ポートと略すこともある）、給電制御部１４、ＰｏＥ給電部１５、参照データ記憶部１６、診断スイッチ１７、表示部１８、から構成される。
【００１８】
ＩＰ機器診断部１０は、ＤＯＷＮ−ＬＩＮＫ側ＰｏＥポート１３に接続されたＩＰ機器３からのＩＰパケットのデータ量またはＩＰ機器３への給電量を分析し、そのＩＰ機器３の正常性を診断する手段である。ＩＰ機器診断部１０の詳細な説明は後述する。
【００１９】
ＵＰ−ＬＩＮＫ側ポート１１は、ルータまたはゲートウェイ、ＯＮＵ等の上位のＩＰ網２側の機器と接続する手段である。
【００２０】
ＩＰパケット中継制御部１２は、ＵＰ−ＬＩＮＫ側ポート１１とＤＯＷＮ−ＬＩＮＫ側ＰｏＥポート１３−１〜１３−Ｎとの間でＩＰパケットを中継すると共に、中継したＩＰパケットのパケット数またはデータ量を計測し、計測した値をＩＰ機器診断部１０に出力する手段である。
【００２１】
ＤＯＷＮ−ＬＩＮＫ側ＰｏＥポート１３は、ＩＰ機器３を接続すると共に、ＩＰ機器３へＰｏＥ給電部１５からの電力を出力する手段である。他の本装置１をカスケード接続する場合は、このＤＯＷＮ−ＬＩＮＫ側ＰｏＥポート１３に次段となる本装置１のＵＰ−ＬＩＮＫ側ポート１１を繋げばよい。
【００２２】
給電制御部１４は、商用電源である交流１００Ｖのコンセントから受電した電力、またはＵＰ−ＬＩＮＫ側ポート１１を介してＰｏＥ受電した電力を、所定の動作電圧に変換して本装置１内の各部へ供給する手段である。なお、コンセントからの受電とＰｏＥ受電のいずれの受電で本装置１を動作させるかは、電源切替えスイッチ（図示せず）等で切替えればよい。
【００２３】
ＰｏＥ給電部１５は、給電制御部１４から供給される電力をＰｏＥ電力に変換して、各ＤＯＷＮ−ＬＩＮＫ側ＰｏＥポート１３へ出力すると共に、給電量を測定し、測定した値をＩＰ機器診断部１０へ通知する手段である。また、ＩＰ機器診断部１０からの指示に応じて給電のＯＮ／ＯＦＦを制御する手段である。
【００２４】
参照データ記憶部１６は、ＩＰ機器診断部１０から出力される診断に必要な参照データを記憶すると共に、ＩＰ機器診断部１０からの要求に応じて記憶している所定の参照データを出力する手段である。参照データの詳細については後述する。
【００２５】
診断スイッチ１７は、ＩＰ機器診断部１０へ診断を要求する手動のスイッチである。操作者がこのスイッチを押下することにより、ＩＰ機器３の正常性をいつでもチェックすることが出来る。
【００２６】
表示部１８は、本装置１の動作状況，ＩＰ機器診断部１０による診断結果，各種アラーム情報等を表示する手段である。なお、具体的な表示デバイスとしては、ＬＣＤやＬＥＤ等である。
【００２７】
図２は、参照データ記憶部１６に記憶されているデータの１例である。列２０１にはＤＯＷＮ−ＬＩＮＫ側ＰｏＥポート、列２０２には診断対象のポートであるか否かを設定する診断設定（ＯＮが診断対象）、列２０３には診断を開始するタイミングまたはイベント、列２０４にはＩＰ機器３から入力してくるデータのスループットの平均値（例えば、ＩＰ電話機であれば１００ｋｂｉｔ／Ｓ程度）、列２０５にはＰｏＥ給電部１５が給電した、当該ポートに接続されたＩＰ機器３へのＰｏＥ給電量の平均値（例えば、２００ｍＡｈ）、列２０６にはＩＰ機器診断部１０が当該ポートに接続されたＩＰ機器３の異常の可能性を判定する判定条件（例えば、平均値±５０％）、列２０７には当該ポートに接続されたＩＰ機器３に対応する通報先（例えば、保守担当者のメールアドレス）が登録されている。
【００２８】
ＩＰ機器診断部１０は、列２０２にＯＮが設定されている行の各ポートについて、列２０３を参照してＰｏＥポート毎の測定タイミングの到来（例えば、定期的な測定タイミング、または非定期な通信開始に係る特定信号や後述するパワーオンリセット後の再診断もしくは診断スイッチ１７の押下）を検知した場合に、そのタイミングを起点とした、ＩＰパケット中継制御部１２が測定したＩＰ機器３から入力してくる単位時間当たりのデータ量（スループット）の値、およびＰｏＥ給電部１５が測定したＰｏＥ給電量の値と、列２０４及び列２０５に記憶されている参照データを対比し、それらの関係が列２０６に記憶されている正常性に係る判定条件を満足するか否かを判定し、満足しないと判定したならば、列２０７に記憶されている通報先へアラーム情報を通報する（例えば、電子メール）、または表示部１８にアラーム情報を表示する。
【００２９】
ここで、列２０４および列２０５に記憶しておくデータは、例えば、ＩＰ機器診断部１０が、ＩＰパケット中継制御部１２が測定したＩＰ機器３から入力してくるデータのスループットの値、およびＰｏＥ給電部１５が測定したＰｏＥ給電量の値は正常であると判定した値（正常値）を、その都度加算平均していけばよい。この加算平均は、例えば、過去の最古の正常値を除外し最新の正常値を追加した、正常値Ｎ（例えば、１０）個の平均でもよいし、サンプル数を限定しない累積平均でもよい。
【００３０】
なお、新規に本装置１の使用を開始する場合、または配下のＩＰ機器３を変更する場合、参照データ記憶部１６に記憶されているデータをクリアし、初期の１以上の診断で正常値の平均を記憶していけばよい。この際、その初期の期間の診断で異常と判定されない判定条件であれば効率的である。
【００３１】
また、ＩＰパケット中継制御部１２が測定するＩＰ機器３から入力してくるデータのスループットの値は、バースト的に連続して入力してくるデータの瞬間的な最大スループットを測定してもよいし、一定時間（例えば、１分）の平均データ量を測定してもよい。同様に、ＰｏＥ給電部１５が測定したＰｏＥ給電量の値は瞬間的な最大値を測定してもよいし、一定時間の平均値を測定してもよい。
【００３２】
また、列２０６に記憶しておく判定条件は、当該ポートに接続するＩＰ機器３の特性に応じて、予め設定しておく。例えば、ＩＰ機器３が電話機（ＩＰホン）であった場合、その音声帯域（例えば、６４ｋｂｐｓ）に対応するデータの平均スループット（例えば、１００ｋｂｉｔ／Ｓ）に対応する判定条件（例えば、±５０％）を登録しておけばよい。
【００３３】
なお、この判定条件の登録は、ＵＰ−ＬＩＮＫ側ポート１１またはＤＯＷＮ−ＬＩＮＫ側ＰｏＥポート１３，ＩＰパケット中継制御部１２を介して入力してくる保守者からの特殊データ（例えば、保守専用コード付きのパケットデータ）を、ＩＰ機器診断部１０が解析して参照データ記憶部１６に登録すればよい。
【００３４】
図３は本装置１の動作フローチャートである。以下、図１，図２を併用して、本装置１の動作フローを説明する。本フローは本装置１の電源が投入された状態からスタートする（Ｓ３００）。なお、参照データ記憶部１６には、診断に必要なデータが予め記憶されているものとする。
【００３５】
ＩＰ機器診断部１０は、参照データ記憶部１６を参照し（図２の列２０３）、診断を開始すべき定期的なタイミングの到来、または非定期なイベントの発生の有無を監視し、診断を開始すべき契機でなければ（Ｓ３１０，ＮＯ）、通常の中継動作として、ＵＰ−ＬＩＮＫ側ポート１１とＤＯＷＮ−ＬＩＮＫ側ＰｏＥポート１３の各ポート間でＩＰパケットを中継し（Ｓ３１１）、Ｓ３１０に戻る。
【００３６】
診断を開始すべき定期的なタイミングが到来、または非定期なイベントの発生を検知すると（Ｓ３１０，ＹＥＳ）、ＩＰ機器診断部１０は診断を開始し、診断期間を計測するタイマーをスタートし（Ｓ３２０）、ＰｏＥ給電部１５は、ＩＰ機器３へのＰｏＥ給電量の計測を開始し（Ｓ３２１）、Ｓ３３０へ進む。なお、このタイマーは本装置１内に存在している時計デバイス（図示せず）でもよいし、ソフト的に計測するプログラムカウンタでもよい。
【００３７】
Ｓ３３０において、ＵＰ−ＬＩＮＫ側ポート１１からＩＰパケットを受信した場合（Ｓ３３０，ＹＥＳ）、ＩＰパケットに付与されたヘッダ情報に応じたＤＯＷＮ−ＬＩＮＫ側ＰｏＥポート１３のいずれかへ中継し（Ｓ３３１）、Ｓ３４０へ進む。Ｓ３３０でＮＯであれば、Ｓ３３１をスキップしてＳ３４０へ進む。なお、この段階では、単なるＩＰパケットの中継であって、スループットの測定はしない。これは、ＩＰ機器３がＩＰパケットを送信してきているか否かにより、ＩＰ機器３の正常性を判断するためである。
【００３８】
Ｓ３４０において、診断対象（図２の列２０２がＯＮ）のＤＯＷＮ−ＬＩＮＫ側ＰｏＥポートからＩＰパケットを受信した場合（Ｓ３４０，ＹＥＳ）、ＩＰパケットに付与されたヘッダ情報に応じて、ＵＰ−ＬＩＮＫ側ポート１１または、ＤＯＷＮ−ＬＩＮＫ側ＰｏＥポート１３のいずれかへ中継すると共に、中継したＩＰパケットの単位時間当たりのデータ量をトラヒックデータ（スループット）として、診断対象のポート毎に計測する（Ｓ３４１）。
【００３９】
Ｓ３４０でＮＯであれば、ＩＰ機器診断部１０は、診断対象のＤＯＷＮ−ＬＩＮＫ側ＰｏＥポート１３に、ＩＰ機器３の正常性を確認するためのキープアライブ信号を送信するか否かを判定し（Ｓ３４２）、ＹＥＳであればキープアライブ信号を送信し（Ｓ３４３）、ＮＯであればＳ３４３をスキップしてＳ３５０へ進む。ここで、Ｓ３４３におけるキープアライブ信号の送信は、定期的なタイミングの到来であってもよいし、所定のイベント検知（例えば、一定時間以上無信号検知）でもよい。
【００４０】
さらに、本フローでは表現していないが、自動的なキープアライブ信号の送信を、ＩＰ機器３の異常の可能性を検知した場合に限定することも可能である。この場合、後述するＳ３６０における異常の可能性の判定でＹＥＳの場合に、キープアライブ信号を送信するようにフローを変更すればよい。これにより、普段はＩＰ機器３が送信する単位時間当たりデータ量だけでＩＰ機器３の正常性を診断し、その診断でＩＰ機器３に異常の可能性ありと診断した場合に、キープアライブ信号を送信し、応答が無ければ、異常の可能性ではなく、異常であることを判定できるので、無用なキープアライブ信号の送信が無く、診断が効率的であると共に、正常性の診断が確実である。
【００４１】
Ｓ３４４において、キープアライブ信号を送信したＤＯＷＮ−ＬＩＮＫ側ＰｏＥポート１３から正常性を示す応答信号があれば（Ｓ３４４，ＹＥＳ）、Ｓ３５０へ進む。Ｓ３４４でＮＯであれば、ＩＰ機器診断部１０は、そのＤＯＷＮ−ＬＩＮＫ側ＰｏＥポート１３に接続されたＩＰ機器３に異常の可能性があると判定し、後述のＳ３６１へ進む。
【００４２】
ところで、キープアライブ信号は、ＩＰ機器３が応答信号を返すことを要求する、ＩＰ機器３と連携した所定の信号であり、その信号の形式は任意である。また、キープアライブ信号は、ＩＰ網を診断する一般的なプログラムであるＰＩＮＧ（Ｐａｃｋｅｔ  ＩＮｔｅｒｎｅｔ  Ｇｒｏｐｅｒ）に用いられるＰｉｎｇ信号を利用してもよい。
【００４３】
Ｓ３５０において、タイマーが満了した場合（Ｓ３５０，ＹＥＳ）、計測したデータ量から算出した単位時間当たりのデータ量（スループット）と、ＰｏＥ給電部１５が計測したＰｏＥ給電量を、診断対象のポート毎に参照データ（図２の列２０４，列２０５）と比較する（Ｓ３５１）。なお、タイマーが満了していない場合（Ｓ３５０，ＮＯ）、Ｓ３２１へ戻り診断に係る計測を継続する。
【００４４】
そして、Ｓ３５１において、各データを比較し、判定条件（図２の列２０６）に従って、異常の可能性のあるＤＯＷＮ−ＬＩＮＫ側ＰｏＥポート１３がある場合（Ｓ３６０，ＹＥＳ）、Ｓ３６１へ進み、当該ポートへのＰｏＥ給電を一時的にＯＦＦ／ＯＮする指示をＰｏＥ給電部１５に出力して、当該ポートに接続されたＩＰ機器３に対して、ＰｏＥ給電を一時的にＯＦＦして再度ＯＮ（パワーオンリセット）し、Ｓ３１０に戻る。
【００４５】
Ｓ３６１において、本装置１がＰｏＥ給電機能を有していない場合、ＩＰ機器３へ電力を供給する外部の電源機器（図示せず）へ、ＩＰ機器３への給電を一時的にＯＦＦして再度ＯＮする制御コマンドを送信するようにしてもよい。
【００４６】
ところで、Ｓ３６１において、パワーオンリセットするのは、ＩＰ機器３が突発的な何らかの原因でフリーズしているだけの場合、パワーオンリセットするだけで正常復帰するケースが多いためである。即ち、パワーオンリセットしてからＳ３１０に戻った場合、一定時間（例えば、１分）経過後、再度診断し（Ｓ３１０のＹＥＳ以降）、パワーオンリセットにより正常に復帰したか否かをチェックし、正常復帰していれば、異常ではないと判定する。ただし、パワーオンリセットして正常に復帰した場合であっても、ＩＰ機器３に何らかの異常がある可能性があるので、そのような処理が実行された旨のアラーム情報を通報先へ通報するようにしてもよい。
【００４７】
パワーオンリセット後の再診断でもＳ３６０で異常の可能性有りと判定された場合、ＩＰ機器診断部１０は、当該ポートに接続されたＩＰ機器３の異常に係るアラーム情報を表示部１８に表示する、または参照データ記憶部１６を参照し、ＵＰ−ＬＩＮＫ側ポート１１またはＤＯＷＮ−ＬＩＮＫ側ＰｏＥポート１３を介して、予め登録されている通報先（図２の列２０７）へアラーム情報を通報する（Ｓ３６１）。
【００４８】
Ｓ３６０において、異常の可能性があると判定されたＤＯＷＮ−ＬＩＮＫ側ＰｏＥポート１３がない場合（Ｓ３６０，ＮＯ）、測定したデータを参照データ記憶部１６に記憶されている参照データ（図２の列２０４と列２０５）に反映（加算平均）して、参照データを最新化する（Ｓ３６２）。
【００４９】
以上、本発明の実施形態について説明した。本装置１は、各ＩＰ機器３が送信するＩＰパケットの単位時間当たりのデータ量を日常的に測定し、そのデータ量の平均値を参照データとしているので、異常判定に係る参照データを人為的に登録する面倒が無い。
【００５０】
また、本装置をカスケード接続した場合は、上位の本装置により、ＩＰ機器としての本装置の正常性をチェックすることが可能であり、カスケード接続された複数の本装置によるトレーンの故障個所を特定することが容易である。
【００５１】
さらに、本装置１は、ＩＰ機器３からのＩＰパケットの送信が無い場合であっても、キープアライブ信号またはＰｉｎｇ信号により、ＩＰ機器３の正常性をチェックできるので、ＩＰ機器３が正常であるにも関わらず長期間ＩＰパケットの送信が無い場合、ＩＰ機器３の使用者の異変を検知することも可能である。例えば、本装置が独居老人宅に設置されていて、ＩＰ機器３が医療機器（心電図や血圧計等）であって、測定した医療データを医療機関に日常的に送信している場合、その医療機器が正常であるにも関わらず、長期間ＩＰパケットの送信が無いならば、使用者に異変有りと判定して、駆けつけることを促すアラーム情報を所定の機関へ通報することも可能である。
【００５２】
さらに、本実施形態において、本装置１はＤＯＷＮ−ＬＩＮＫ側ＰｏＥポート１３に接続されたＩＰ機器３の正常性を判定しているが、ＤＯＷＮ−ＬＩＮＫ側ＰｏＥポート１３をＵＰ−ＬＩＮＫ側ポート１１側に置き換えれば、ＵＰ−ＬＩＮＫ側ポート１１側に接続されたＩＰ機器を診断することも可能である。
【００５３】
ところで、ＰｏＥハブを例に説明したが、本発明は、ＩＰパケットを中継する装置の一般に適用可能であり、本装置１はルータやゲートウェイ等であってもよい。
【符号の説明】
【００５４】
１・・・本発明によるＩＰ機器診断機能を有するＩＰ中継装置
２・・・ＩＰ網
３・・・ＩＰ機器
１０・・・ＩＰ機器診断部
１１・・・ＵＰ−ＬＩＮＫ側ポート
１２・・・ＩＰパケット中継制御部
１３・・・ＤＯＷＮ−ＬＩＮＫ側ＰｏＥポート
１４・・・給電制御部
１５・・・ＰｏＥ給電部
１６・・・参照データ記憶部
１７・・・診断スイッチ
１８・・・表示部
【図１】
2014138369.tif 000003
【図２】
2014138369.tif 000004
【図３】
2014138369.tif 000005